(57)【要約】【課題】電力工具バッテリ、バッテリ充電器、およびそれらを動作させる方法を提供すること。【解決手段】バッテリと充電器は、互いにロックして係合可能とすることができる。バッテリは、バッテリを充電するために、充電器の充電回路に電気的に結合することができる。バッテリと充電器のうち一方は突起を含むことができ、バッテリと充電器のうち他方は、突起を受け取るための凹部を含むことができる。本方法は、バッテリを挿入軸に沿って充電器内に挿入する動作と、バッテリを充電する動作とを含むことができる。本方法は、引き続きバッテリを充電している間に、バッテリを充電器に固定するためにバッテリを挿入軸の周りで回転する動作をさらに含むことができる。【選択図】図１
2006325395.tif 000002
【特許請求の範囲】
【請求項１】
開口を画定する（ｄｅｆｉｎｅ）本体と、前記本体を介して延びる充電回路とを有するバッテリ充電器を動作させる方法であって、
バッテリを挿入軸に沿って前記開口内に挿入し、前記バッテリを充電するために前記バッテリを前記充電回路に電気的に接続する動作と、
前記バッテリを前記バッテリ充電器内で固定するために、前記バッテリ充電器に対して、前記軸の周りで前記バッテリを旋回させる動作と
を備えることを特徴とする方法。
【請求項２】
前記バッテリは、前記バッテリの旋回動作中、前記充電回路に電気的に接続されたままとなることを特徴とする請求項１に記載の方法。
【請求項３】
前記充電器と前記バッテリのうちの一方は、外側に延びる突起を含み、前記充電器と前記バッテリのうちの他方は、前記外側に延びる突起を受け取るための凹部を画定し、前記軸の周りで前記バッテリを旋回させる動作は、前記突起を、前記凹部とロックして係合した形に移動する動作を含むことを特徴とする請求項１に記載の方法。
【請求項４】
前記バッテリは、前記バッテリが前記充電器の前記本体に固定されるロック位置と、前記バッテリが前記開口内で着脱可能に支持されるロック解除位置との間で移動可能であり、前記バッテリは、前記バッテリが前記ロック位置にあるとき、および前記バッテリが前記ロック解除位置にあるときに、前記充電回路に電気的に接続されることを特徴とする請求項１に記載の方法。
【請求項５】
本体と充電回路とを有するバッテリ充電器を動作させる方法であって、前記充電器と前記バッテリのうち一方は、外側に延びる突起を含み、前記充電器と前記バッテリのうち他方は、前記外側に延びる突起を受け取るための凹部を画定し、
前記突起を前記凹部内で係合し前記バッテリを前記充電器の前記本体に固定する前に、前記バッテリを充電するために、前記バッテリと前記充電回路を電気的に接続する動作を備えることを特徴とする方法。
【請求項６】
前記バッテリ充電器の前記本体は開口を画定し、前記バッテリと前記充電回路を電気的に接続する動作は、前記バッテリを挿入軸に沿って前記開口内に挿入する動作を含むことを特徴とする請求項５に記載の方法。
【請求項７】
前記突起を前記凹部内で係合する動作は、前記バッテリ充電器に対して、前記軸の周りで前記バッテリを旋回させる動作を含むことを特徴とする請求項６に記載の方法。
【請求項８】
前記突起を前記凹部内で係合する動作は、前記バッテリを、前記バッテリが前記充電器の前記本体に固定されるロック位置に向かって移動する動作を含み、前記バッテリを、前記バッテリが前記本体上で着脱可能に支持されるロック解除位置に向かって移動する動作をさらに備え、前記バッテリは、前記バッテリが前記ロック位置にあるとき、および前記バッテリが前記ロック解除位置にあるときに、前記充電回路に電気的に接続されることを特徴とする請求項５に記載の方法。
【請求項９】
前記バッテリを前記充電回路に電気的に接続する動作は、前記バッテリを第１の経路に沿って移動する動作を含み、前記バッテリを前記本体に固定する動作は、前記バッテリを第２の経路に沿って移動する動作を含み、前記第２の経路は、前記第１の経路と異なることを特徴とする請求項５に記載の方法。
【請求項１０】
本体と、前記本体を介して延びる充電回路とを有するバッテリ充電器を動作させる方法であって、
前記バッテリを充電するために前記バッテリを前記充電回路に電気的に接続する動作と、
引き続き前記バッテリを充電している間に、前記バッテリを前記本体に固定するために前記バッテリを前記バッテリ充電器に対して移動する動作と
を備えることを特徴とする方法。
【請求項１１】
前記バッテリを前記充電回路に電気的に接続する動作は、前記バッテリを第１の経路に沿って移動する動作を含み、前記バッテリを前記本体に固定する動作は、前記バッテリを第２の経路に沿って移動する動作を含み、前記第２の経路は、前記第１の経路と異なることを特徴とする請求項１０に記載の方法。
【請求項１２】
前記バッテリ充電器の前記本体は開口を画定し、前記バッテリを前記充電回路に電気的に接続する動作は、前記バッテリを挿入軸に沿って前記開口内に挿入する動作を含むことを特徴とする請求項１０に記載の方法。
【請求項１３】
前記充電器と前記バッテリのうちの一方は、外側に延びる突起を含み、前記充電器と前記バッテリのうちの他方は、前記外側に延びる突起を受け取るための凹部を画定し、前記バッテリを前記本体に固定するために前記バッテリを前記バッテリ充電器に対して移動する動作は、前記突起を前記凹部とロックして係合した形に移動する動作を含むことを特徴とする請求項１２に記載の方法。
【請求項１４】
前記バッテリを前記本体に固定するために前記バッテリを前記バッテリ充電器に対して移動する動作は、前記軸の周りで前記バッテリを旋回させる動作を含むことを特徴とする請求項１２に記載の方法。
【請求項１５】
前記バッテリを前記本体に固定するために前記バッテリを前記バッテリ充電器に対して移動する動作は、前記バッテリを、前記バッテリが前記充電器の前記本体に固定されるロック位置に向かって移動する動作を含み、前記バッテリを、前記バッテリが前記本体上で着脱可能に支持されるロック解除位置に向かって移動する動作をさらに備え、前記バッテリは、前記バッテリが前記ロック位置にあるとき、および前記バッテリが前記ロック解除位置にあるときに、前記充電回路に電気的に接続されることを特徴とする請求項１０に記載の方法。
【請求項１６】
ケーシングと前記ケーシング内で支持されたバッテリセルとを含むバッテリと、
本体と充電回路とを含むバッテリ充電器とを備える組合せ装置であって、
前記充電器と前記バッテリのうちの一方は、外側に延びる突起を含み、前記充電器と前記バッテリのうち他方は、前記外側に延びる突起を受け取るための凹部を画定し、
前記バッテリは、前記突起が前記凹部とロックして係合するロック位置と、前記突起が前記凹部と着脱可能に係合するロック解除位置との間で、前記充電器の前記本体に対して移動可能であり、前記バッテリセルは、前記バッテリが前記ロック位置および前記ロック解除位置にあるときに、前記バッテリ充電器の前記充電回路に電気的に接続可能であることを特徴とする組合せ装置。
【請求項１７】
前記バッテリ充電器の前記本体は開口を画定し、前記バッテリは、挿入軸に沿って前記開口内に挿入可能であることを特徴とする請求項１６に記載の組合せ装置。
【請求項１８】
前記凹部は、前記挿入軸の周りで円周方向に、かつ、前記充電器の前記本体内に延びることを特徴とする請求項１７に記載の組合せ装置。
【請求項１９】
前記バッテリが前記開口内で支持されたとき、前記ロック位置と前記ロック解除位置の間で、前記軸の周りで前記本体に対して旋回移動するように前記バッテリが支持されることを特徴とする請求項１８に記載の組合せ装置。
【発明の詳細な説明】
【技術分野】
【０００１】
本発明は、一般に動力工具に関し、より詳細には、ドリルやねじ回しなどの回転動力工具に関する。
【背景技術】
【０００２】
回転動力工具などの動力工具を使用して、金属、木材、乾式壁などの様々な加工物に対して働きかけ、またはそれらを切断する。そのような工具は、典型的には、ハウジングと、ハウジングによって支持された、電源（ｐｏｗｅｒ  ｓｏｕｒｃｅ）に接続可能なモータと、ハウジングによって回転可能に支持された、モータによって選択的に駆動されるスピンドルとを含む。
【発明の開示】
【発明が解決しようとする課題】
【０００３】
チャックなどの工具ホルダがスピンドルの前端上に装着され、たとえばドリルビットなどの工具要素がチャック及びスピンドルと共に回転するためにチャック内で装着され、加工物に対して作用する。
【課題を解決するための手段】
【０００４】
いくつかの実施形態では、本発明は、動力工具を動作させる方法を提供する。動力工具は、モータを支持するハウジングと、スイッチ組立体と、燃料計（ｆｕｅｌ  ｇａｕｇｅ）とを含むことができる。本方法は、モータとバッテリを電気的に接続するためにスイッチ組立体を活動化する動作と、バッテリの充電状態を記録する動作と、モータとバッテリを電気的に接続する前に燃料計上でバッテリの充電状態を表示する動作と、スイッチ組立体を非活動化する前に充電状態の表示を停止する動作とを含むことができる。
【０００５】
他の実施形態では、本発明は、モータを支持するハウジングと、燃料計とを含む動力工具を動作させる方法を提供する。本方法は、静止充電状態（ａｔ  ｒｅｓｔ  ｓｔａｔｅ  ｏｆ  ｃｈａｒｇｅ）を有するバッテリをハウジングに接続する動作と、バッテリの静止充電状態を燃料計上で表示する動作と、モータを活動化し、引き続きバッテリの静止充電状態を燃料計上で表示する動作とを含むことができる。
【０００６】
また、本発明は、工具要素を支持するための可動スピンドルと、モータおよびモータによって駆動される駆動機構を支持するハウジングとを含む動力工具を提供する。駆動機構は、ハウジングに対してスピンドルを移動させるためにスピンドルに動作可能に接続することができる。ハウジングは、スピンドルを支持する前端と、後端とを有することができる。動力工具はまた、後端に接続可能なバッテリと、バッテリの静止充電状態を表示するための、ハウジング上で支持された燃料計とを含むことができる。
【０００７】
いくつかの実施形態では、本発明は、バッテリ充電器を動作させる方法を提供する。バッテリ充電器は、開口を画定する本体と、本体を介して延びる充電回路とを含むことができる。本方法は、バッテリを挿入軸に沿って開口内に挿入する動作と、バッテリを充電するために、バッテリを充電回路に電気的に接続する動作と、バッテリをバッテリ充電器内で固定するために、バッテリ充電器に対して、その軸の周りでバッテリを旋回させる動作とを含むことができる。
【０００８】
他の実施形態では、本発明は、バッテリ充電器を動作させる方法を提供する。バッテリ充電器は、本体と、充電回路とを含むことができる。充電器とバッテリのうちの一方は、外側に延びる突起を含むことができ、充電器とバッテリのうちの他方は、外側に延びる突起を受け取るための凹部を画定することができる。本方法は、突起を凹部内で係合しバッテリを充電器の本体に固定する前に、バッテリを充電するために、バッテリと充電回路を電気的に接続する動作を含むことができる。
【０００９】
他の実施形態では、本発明は、バッテリ充電器を動作させる方法を提供する。バッテリ充電器は、本体と、本体を介して延びる充電回路とを含むことができる。本方法は、バッテリを充電するために、バッテリを充電回路に電気的に接続する動作と、引き続きバッテリを充電している間に、バッテリを本体に固定するために、バッテリをバッテリ充電器に対して移動する動作とを含むことができる。
【００１０】
また、本発明は、バッテリとバッテリ充電器の組合せを提供する。バッテリは、ケーシングと、ケーシング内で支持されたバッテリセルとを含むことができる。バッテリ充電器は、本体と、充電回路とを含むことができる。充電器とバッテリのうちの一方は、外側に延びる突起を含むことができ、充電器とバッテリのうちの他方は、外側に延びる突起を受け取るための凹部を画定することができる。バッテリは、突起が凹部とロックして係合することができるロック位置と、突起が凹部と着脱可能に係合することができるロック解除位置との間で、充電器の本体に対して移動可能とすることができる。バッテリセルは、バッテリがロック位置およびロック解除位置にあるとき、バッテリ充電器の充電回路に電気的に接続可能とすることができる。
【００１１】
本発明の他の態様は、詳細な説明および添付の図面を考察することによって明らかとなろう。
【００１２】
本発明の実施形態について詳しく述べる前に、本発明は、その応用例において、以下の説明で述べられている、または以下の図面に示されている実施形態の詳細および構成要素の構成に限定されないことを理解されたい。本発明は、他の実施形態が可能であり、様々な方法で実践すること、または実施することが可能である。また、本明細書で使用される言葉遣いおよび用語は、説明するためのものであり、限定するものと見なすべきでないことを理解されたい。本明細書における「ｉｎｃｌｕｄｉｎｇ（含む）」、「ｃｏｍｐｒｉｓｉｎｇ（備える／含む）」または「ｈａｖｉｎｇ（有する）」、およびそれらの変形形態の使用は、その後でリストされる項目およびそれらの均等物、ならびに追加の項目を包含するものとする。別段の指定または限定がない限り、「ｍｏｕｎｔｅｄ（装着）」、「ｃｏｎｎｅｃｔｅｄ（接続）」、「ｓｕｐｐｏｒｔｅｄ（支持）」、「ｃｏｕｐｌｅｄ（結合）」という用語、およびそれらの変形形態は広く使用され、直接及び間接の装着、接続、支持、結合を共に包含する。さらに、「ｃｏｎｎｅｃｔｅｄ（接続）」および「ｃｏｕｐｌｅｄ（結合）」は、物理的または機械的な接続または結合に制限されない。
【発明を実施するための最良の形態】
【００１３】
図１〜５は、たとえばねじ回し、ドリル、または別の回転工具などの手持ち式のバッテリ動作型の動力工具１０を示す。動力工具１０は、図６〜９Ｃに示されているバッテリ２００などのバッテリから電力（ｐｏｗｅｒ）を受け取るように動作可能である。他の実施形態では、動力工具１０は、たとえば往復のこぎり、ハンマードリル、ルータ、丸のこ、グラインダ、サンダなどの別の手持ち式動力工具とすることができる。
【００１４】
動力工具１０は、本体１４と、本体１４の後方部分１８に接続された主操作者ハンドル部分またはハンドグリップ１６とを有するハウジング組立体１２を含む。
【００１５】
本体１４は、長手方向本体軸２２を画定し、駆動機構２６と、モータ２８と、本体１４の前端３１によって支持されたスピンドル３０とを収容する。駆動機構２６、モータ２８、スピンドル３０は共に、加工物（図示せず）に対して働きかけるために、概して工具軸の周りで工具要素（やはり図示せず）を回転するように動作可能である。他の実施形態では、駆動機構２６、モータ２８、スピンドル３０はまた、あるいは別法として、加工物に対して働きかけるために、工具軸に沿って工具要素を往復させることができる。
【００１６】
図１〜５の例示されている実施形態では、スピンドル３０は、工具要素を受け入れ、ロックして係合することができる工具なしスピンドルである。工具要素は、ボール戻り止め（ｂａｌｌ−ｄｅｔｅｎｔ）構成によってスピンドル３０に固定され、工具要素の挿入または除去のために工具を必要としない。他の実施形態では、チャック、コレット、ブレードクランプ、アダプタ、または他の従来の接続構造を使用し、工具要素をスピンドル３０に固定することができる。
【００１７】
図１〜５に示されているように、ハンドグリップ１６は、モータ２８の後方の、本体１４の後方部分１８に旋回可能に接続される。ハンドグリップ１６は、グリップ軸３２を画定し、本体１４に対して旋回軸３４の周りで旋回移動するように支持される。例示されている実施形態では、旋回軸３４は、本体軸２２にもグリップ軸３２にも実質的に垂直である。
【００１８】
他の実施形態（図示せず）では、軸２２、３２、３４の向きは、たとえば概して平行または斜めなど、異なるものとすることができる。また、ハンドグリップ１６は、２つの軸の周りで（すなわち、旋回軸３４の周りで、また本体軸２２に、かつ／またはグリップ軸３２に平行な軸の周りで）、たとえば摺動可能に、回転可能に、または旋回可能になど、他の形で移動可能とすることができる。
【００１９】
いくつかの実施形態では、本体１４は、２つの本体半体１４ａ、１４ｂで形成される（図３参照）。同様に、ハンドグリップ１６は、（やはり図３に示されている）２つのグリップ半体１６ａ、１６ｂで形成される。これらの実施形態では、ハンドグリップ１６の第１の端部４０が、本体１４の後方部分１８を挟む。旋回軸３４を画定する旋回ピン４２が、ハンドグリップ１６の第１の端部４０を介して、また本体１４の後方部分１８を介して延び、ハンドグリップ１６を本体１４に旋回式で接続する。
【００２０】
ハンドグリップ１６は、本体軸２２とグリップ軸３２が概して位置合わせされ、実質的に平行である（図１に示されている）第１の位置と、グリップ軸３２が本体軸２２と位置がずれる（図２に示されている）第２の位置との間で、本体１４に対して移動可能である。第２の位置では、ハンドグリップ１６は、グリップ軸３２と本体軸２２が約９０度と約１３５度の間の角度ａを画定するように位置決めされる。ハンドグリップ１６はまた、第１の位置と第２の位置の間で、１つまたは複数の位置に移動可能とすることができる。
【００２１】
また、ハンドグリップ１６は、本体１４の前端３１からハンドグリップ１６の後端４４にかけて測定される動力工具１０の長さを変更するように、本体１４に対して旋回可能である。図１に示されている位置では、動力工具１０は、本体１４の前端３１とハンドグリップ１６の後端４４の間で測定される第１の長さを有する。図２に示されている位置では、動力工具１０は、本体１４の前端３１とハンドグリップ１６の後端４４の間で測定される第２の、より短い長さを有する。
【００２２】
図１〜５の例示されている実施形態に関しては、モータ２８は、（図２１に概略的に示されている）電気回路３１０によって、バッテリ２００などの電源に接続可能な電気モータである。バッテリ２００は、ハンドグリップ１６の後端４４を介して延びるバッテリチャンバ５６内で着脱可能に支持され、グリップ軸３２に概して平行な方向でハンドグリップ１６に摺動可能に取り付けられる。他の実施形態では、ハンドグリップ１６は、バッテリチャンバ５６内で２つ以上のバッテリ２００を支持することができ、あるいは、バッテリ２００は、ハンドグリップ１６の外部係合表面に摺動可能に接続することができる。
【００２３】
動力工具１０は、モータ２８を電源に接続するように動作可能であるオン／オフスイッチ組立体７４を含む。図１〜５の例示されている実施形態では、スイッチ組立体７４は、右利きまたは左利きの操作者の指で操作するために、本体１４の側部表面７８上で支持されたトリガ７７を有する（図２１に示されている）方向スイッチ７６を含む。例示されている実施形態では、トリガ７７は、本体１４の後部に向かって、ハンドグリップ１６の近くで位置決めされる。図１〜５に示されているように、トリガ７７などのスイッチ組立体７４の少なくとも一部分は、ハンドグリップ１６の旋回移動中に、本体１４と共に、ハンドグリップ１６に対して移動可能である。
【００２４】
他の実施形態（図示せず）では、モータ２８の回転のパワーおよび方向は、他の要素および構造によって制御することができる。そのような代替の一実施形態では、単一のトリガを始動し、モータシャフト５８を本体１４に対して回転させることができる。モータシャフト５８の回転の方向は、別個の方向スイッチによって制御することができ、そのスイッチは、「正転」位置と「逆転」位置の間で動作可能とすることができ、さらに、トリガの始動およびモータ２８の付勢を防止するためにロックアウト機能を備えることができる。
【００２５】
いくつかの実施形態では、動力工具１０は、動力工具１０によって支持された工具要素の回転スピード、および／またはスピンドル３０の回転スピードを、２つ以上の異なる回転スピード（たとえば、高速、低速、中間スピード）の間で調整するように動作可能であるスピード制御機構８２を含むことができる。図１〜５に示されているように、スピード制御機構８２は、本体１４の上部表面８４上で支持することができ、駆動機構２６の諸要素が工具要素および／またはスピンドル３０を工具軸の周りで、第１の回転スピードで回転するように配向された第１の構成と、駆動機構２６の諸要素が工具要素を工具軸の周りで、第２の異なる回転スピードで回転するように配向された第２の構成との間で、駆動機構２６を移動するように動作可能とすることができる。他の実施形態では、スピード制御機構８２は、電源（たとえば、バッテリ２００）によってモータ２８に供給された電力を制御し、モータシャフト５８を第１の回転スピードおよび第２の異なる回転スピードで回転するように動作可能とすることができる。
【００２６】
図１〜５に示されているように、動力工具１０はまた、ハンドグリップ１６を本体１４に対して、ある位置でロックするために、ロック用組立体１１０を含む。ロック用組立体１１０は、ハンドグリップ１６が本体１４に対して、ある位置で固定されるロック位置と、本体１４に対するハンドグリップ１６の位置が調整可能であるロック解除位置との間で動作可能である。いくつかの実施形態では、ロック用組立体１１０は、２０００年１１月２日に出願された米国特許出願第０９／７０４，９１４号明細書および／または２００４年３月９日に出願された米国特許出願第１０／７９６，３６５号明細書に開示されているものに実質的に類似のものとすることができ、各明細書の内容全体は、参照により本明細書に組み込まれる。
【００２７】
例示されている実施形態では、ロック用組立体１１０は、ハンドグリップ１６と本体１４の間で戻り止め構成を含み、ハンドグリップ１６と本体１４の間で確実な（ｐｏｓｉｔｉｖｅ）係合を実現する。ロック用組立体１１０はロック用部材１１２を含み、その一部分は、ハンドグリップ１６を本体１４に対して第１の位置で固定するために第１の凹部内で、またハンドグリップ１６を本体１４に対して第２の位置で固定するために第２の凹部内で、選択的に係合可能である。また、ロック用組立体１１０は、ハンドグリップ１６を本体１４に対して追加の位置で固定するためにロック用部材１１２が係合可能となることができる追加の凹部を含むことができる。
【００２８】
また、ロック用組立体１１０は、ロック用部材１１２をロック位置とロック解除位置の間で移動するためにアクチュエータ１１４を含むことができる。図１〜５の例示されている実施形態では、アクチュエータ１１４は、右利きまたは左利きの操作者の指による操作のために、本体１４の上部表面８４上で位置決めされる。アクチュエータ１１４の一部分は、ハウジング１２を介して延び、ロック用部材１１２をロック位置とロック解除位置の間で移動するために、ロック用部材１１２と選択的に係合可能である。いくつかの実施形態では、ロック用組立体１１０は、ロック用部材１１２をロック位置に向かって偏倚させるために、あるいは、ロック用部材１１２をロック解除位置に向かって偏倚させるために、ばねなどの偏倚部材を含むことができる。
【００２９】
ハンドグリップ１６を本体１４に対して移動するために、アクチュエータ１１４を動作し、ロック用突起１１４を凹部との係合から外す。次いで、ハンドグリップ１６は、ロック用突起１１４が凹部の１つと係合するのに対応する位置に、本体１４に対して移動される。ハンドグリップ１６が所望の位置にあるとき、ロック用突起１１４は、（たとえば、ばねによって）対応する凹部内に移動される。
【００３０】
他の実施形態（図示せず）では、ロック用組立体１１０は、ハンドグリップ１６と本体１４の間での摩擦係合などの異なるロック用構成を含むことができる。そのような実施形態では、ロック用組立体１１０はまた、ロック用組立体１１０がロック条件にあるとき係合される、本体１４およびハンドグリップ１６上で形成された相互係合用の歯など、確実な係合構成を含むことができる。
【００３１】
また、ロック用組立体１１０は、モータ２８が動作中であるとき、および／またはスイッチ組立体７４が活動化されたとき、ハンドグリップ１６が本体１４に対して旋回軸３４の周りで旋回するのを防止する旋回ロックアウトを含むことができる。
【００３２】
また、動力工具１０は、バッテリチャンバ５６内で支持されたバッテリ２００の充電状態を表示するための燃料計１１８を含むことができる。図１および図２に示されているように、燃料計１１８は、ハンドグリップ１６の側部上で位置決めされたディスプレイ１２０を含むことができる。図１および図２の例示されている実施形態などのいくつかの実施形態では、ディスプレイ１２０は、スケールを形成するように構成された一連のインジケータライト１２２（たとえば、発光ダイオード）を含むことができる。これらの実施形態では、バッテリ充電状態が高いとき、いくつかのインジケータライト１２２を点灯することができ、バッテリ充電状態が低いことを示すために、１つのライトを点灯することができ、またはライトを点灯しないことがあり得る。他の実施形態では、１つのライトを点滅し、バッテリ充電状態が低いことを示すことができる。他の実施形態では、ディスプレイ１２０は、他の相対的な向きおよび位置を有する他のディスプレイ画面および／またはインジケータライトを含むことができ、バッテリ２００の充電状態を表示するための異なる色（たとえば、緑、青、黄、オレンジ、赤）のインジケータライトを含むことができる。他の実施形態では、ディスプレイ１２０を使用し、たとえば異常な（高いまたは低い）バッテリ温度、電気回路３１０内の電気的障害、またはバッテリ２００もしくは工具１０に関連する他の情報などの他の条件をユーザに通知することができる。
【００３３】
図２１に示されているものなどのいくつかの実施形態では、電気回路３１０は、コントローラ３２０を含む。コントローラ３２０は、たとえば、様々なバッテリ条件（たとえば、バッテリセル２０８の充電状態）を測定すること、回路３１０内に含まれる様々な構成要素（たとえば、燃料計１１８）を制御すること、動力工具１０の動作を制御すること、ならびに、工具動作、バッテリ条件、および回路３１０内の構成要素動作に関連するデータの収集および格納など、工具１０内の様々な機能を実行することができる。他の実施形態では、コントローラ３２０および／または電気回路３１０は、２００３年１１月２０日に出願された米国特許出願第１０／７２０，０２７号明細書および２００５年５月２４日に出願された米国特許出願第１１／１３８，０７０号明細書に示され、述べられているバッテリコントローラおよび電気回路と同様の構成要素を含むことができ、かつ／または同様の機能を実行することができ、各明細書の内容全体は、参照により本明細書に組み込まれる。
【００３４】
いくつかの実施形態では、コントローラ３２０は、下記で論じるように、トリガ７７の活動化に応答して充電状態を測定するようにプログラムされる。これらの実施形態では、バッテリ充電状態データは、モータ２８の活動化前に、すなわち、消費電流（ｃｕｒｒｅｎｔ  ｄｒａｗ）がモータ２８に供給されたことによってバッテリ充電状態が生み出される前に測定される。バッテリ充電状態のこの測定は、バッテリ２００の静止充電状態を表す。これらの実施形態では、静止充電状態測定値だけが燃料計１１８上で表示される。いくつかの実施形態では、充電状態データは、トリガ７７が始動された後で予め定められた時間の間、表示される。一構成では、予め定められた時間は、約２秒である。他の構成では、予め定められた時間は、２秒より大きいものとすることができる。他の構成では、予め定められた時間は、２秒未満とすることができる。予め定められた時間を超えた後に、ディスプレイ１２０をクリアすることができる。一構成では、ディスプレイ１２０は、トリガ７７が依然として始動されているかどうかに関わらず、予め定められた時間が満了したときクリアされる。いくつかの構成では、ディスプレイ１２０は、トリガ７７の活動に関わらず、予め定められた時間が満了したときクリアされる。他の構成では、ディスプレイ１２０は、トリガ７７が解放されたとき、予め定められた時間（たとえば、約２秒）が満了する前にクリアされる。
【００３５】
また、回路３１０は、モータシャフト５８の回転方向を制御する、かつ／または選択する方向スイッチ７６を含む。回路３１０はまた、オン／オフスイッチ３３０と、ブレーキ３３５と、機械トルククラッチ３４０と、温度検知デバイスまたはサーミスタ３５０とを含む。いくつかの実施形態では、オン／オフスイッチ３３０およびブレーキ３３５は、ＭＯＳＦＥＴなどの電界効果トランジスタを含むことができる。
【００３６】
オン／オフスイッチ３３０は、コントローラ３２０によって制御され、様々な条件下でコントローラ３２０によって活動化される。たとえば、コントローラ３２０は、トリガ７７の活動化に応答して電力がモータ２８に供給されるように、オン／オフスイッチ３３０を導通状態に活動化する。また、コントローラ３２０は、バッテリ２００の充電状態がカットオフ閾値に達したとき、または過負荷条件がコントローラ３２０によって検知されたとき、モータ２８に供給される電流を中断するように、スイッチ３３０を非導通状態に活動化することができる。いくつかの実施形態では、過負荷条件は、サーミスタ３５０を介してコントローラ３２０によって検知されたバッテリ２００の温度が高温閾値に達したとき、またはモータ３２０に供給される電流が高電流閾値に達したとき、発生する可能性がある。これらの実施形態では、コントローラ３２０は、１つまたは複数のライト１２２を点滅するなどして、ディスプレイ１２０を介して過負荷条件が発生したことをユーザに示すことができる。
【００３７】
ブレーキ３３５は、コントローラ３２０によって制御され、モータ２８のトルクが工具１０のトルク設定を超えたとクラッチ３４０を介してコントローラ３２０によって検知されたとき、コントローラ３２０によって活動化される。
【００３８】
図１〜１０に示されているように、例示されている実施形態のバッテリ２００は、実質的に円筒形であり、実質的に円形の断面を有する。他の実施形態では、バッテリ２００は、限定することなしに、矩形、楕円形、多角形、不規則のものを含めて、任意の他の形状および／または断面形状を有することができる。
【００３９】
図１〜１０の例示されている実施形態では、バッテリ２００は、バッテリスリーブまたはケーシング２０４と、バッテリケーシング２０４によって支持されたバッテリセル２０８とを含む。また、バッテリ２００は、バッテリセル２０８を実質的に封入するようにバッテリケーシング２０４の第２の端部２０５に固定することができるキャップ２０６を含むことができる。他の実施形態では、バッテリ２００は、直列および並列セル構成の様々な組合せで構成された２つ以上のバッテリセル２０８を含むことができる。
【００４０】
図１〜１０の例示されている実施形態では、バッテリ２００は、約４．０ボルト（Ｖ）の公称電圧定格、および約３．０アンペアアワー（Ａｈ）の容量を有する単一のバッテリセル２０８を含む。この実施形態では、バッテリセル２０８はまた、たとえばＬｉイオン化学的性質（ｃｈｅｍｉｓｔｒｙ）などの、リチウムを主成分とする化学的性質を有する。リチウムを主成分とする化学的性質は、たとえば、リチウムコバルト、リチウムマンガン（Ｌｉ−Ｍｎ）スピネル、またはリチウムマンガンニッケルなどの様々なＬｉイオン化学的性質を含むことができる。
【００４１】
図６〜９Ｄに示されているように、接点凹部２１６ａ、２１６ｂは、ケーシング２０４の第１の端部２０３を介して半径方向に延びる。例示されている実施形態では、接点凹部２１６ａ、２１６ｂは、概してＬ字形である。他の実施形態では、接点凹部２１６ａ、２１６ｂの１つまたは両方が他の形状を有することができ、バッテリケーシング２０４に沿って他の位置で位置決めすることができる。
【００４２】
また、バッテリ２００は、第１の（たとえば、負の）バッテリ端子２０２ａと、第２の（たとえば、正の）バッテリ端子２０２ｂとを含み、それらの一部分に、バッテリセル２０８を動力工具１０の対応する電気端子（図示せず）に電気的に接続するために、あるいは、バッテリ充電器の電気端子（図示せず）に電気的に接続するために、接点凹部２１６ａ、２１６ｂを介してアクセス可能である。いくつかの実施形態では、バッテリ端子２０２ａおよび２０２ｂはまた、あるいは別法として、バッテリ２００を動力工具１０のハンドグリップ１６に少なくとも部分的に、物理的に接続することができる。
【００４３】
図６〜９Ｄに示されているように、バッテリ端子２０２ａ、２０２ｂは、バッテリセル２０８の前部の周りの円周方向に（たとえば、約１８０度離れて）均等に離隔される。他の実施形態では、バッテリ端子２０２ａ、２０２ｂは、一部には接点凹部２１６ａ、２１６ｂの位置および向きに応じて、他の向きおよび位置を有することができる。
【００４４】
例示されている実施形態では、バッテリ２００が動力工具１０のバッテリチャンバ５６内に挿入されるとき、バッテリ２００は、グリップ軸３２と一致する可能性があるバッテリ軸２０１の周りで旋回させることができ、その結果、バッテリ２００の第１のバッテリ端子２０２ａが動力工具の電気端子を横切ってふき取り（ｗｉｐｅ）、バッテリ２００と動力工具１０の間で電気接続が確立される前に、バッテリ２００のバッテリ端子２０２ａと、対応する動力工具端子とを清掃する。
【００４５】
同様に、バッテリ２００の第２のバッテリ端子２０２ｂは、動力工具の電気端子を横切ってふき取られ、バッテリ２００の電気端子２０２ｂと、対応する動力工具端子とを清掃することができる。このようにして、バッテリ２００の第１のバッテリ端子２０２ａおよび第２のバッテリ端子２０２ｂ、ならびに動力工具の第１および第２の端子は、バッテリ２００が動力工具１０に電気的に接続されるたびに、かつ／またはバッテリ２００が動力工具１０から切断されるたびに清掃される。
【００４６】
図６〜９Ｄの例示されている実施形態では、リテーナクリップ２１０は、バッテリケーシング２０４内で支持され、バッテリ端子２０２ａ、２０２ｂとバッテリセル２０８を、バッテリケーシング２０４内で、それぞれの位置および向きで位置決めし保持するように動作可能である。例示されている実施形態では、リテーナクリップ２１０は、半径方向に外向きに延びる突起２１１を含み、突起２１１は、バッテリケーシング２０４内でリテーナクリップ２１０を予め定められた向きに配向するように、バッテリケーシング２０４内の凹部（図示せず）内で係合可能である。
【００４７】
図１０に示されているように、リテーナクリップ２１０はまた、バッテリ端子２０２ａ、２０２ｂの一部分をそれぞれ受け取るための２つの凹部２１２、２１３を含むことができる。したがって、リテーナクリップ２１０と共に組み立てられたとき、バッテリ端子２０２ａ、２０２ｂは、バッテリケーシング２０４に対して予め定められた円周方向の向きで固定される。
【００４８】
図６〜９Ｄの例示されている実施形態では、絶縁体２１４（たとえば、フォームインサート）が、バッテリセル２０８の前部とキャップ２０６の間に位置する。この実施形態では、キャップ２０６は、絶縁体２１４を覆って位置決めされ、ケーシング２０４から半径方向に外向きに延びる１対のキャップ保持用逆目２１５によってバッテリケーシング２０４に固定される。他の実施形態では、キャップ２０６は、ねじ、ボルト、くぎ、リベット、ピン、くい、クリップ、クランプ、および／または他の従来の締結具、キャップ２０６およびケーシング２０４上の相互係合用要素（たとえば、タブ、フランジ、あるいは、スロット、溝または他の開口内で挿入される他の延長部など）を介して、接着性もしくは粘着性接着材料によって、あるいは任意の他の好適な方法でケーシング２０４に接続することができる。
【００４９】
いくつかの実施形態では、バッテリ２００は、バッテリ２００を動力工具１０のバッテリチャンバ５６内でロックするためにロック用構成２２０を含む。図６〜９Ｄの例示されている実施形態では、ロック用構成２２０は、バッテリ２００のケーシング２０４から半径方向に外向きに延びる第１のラグ２２２ａと、第２のラグ２２２ｂとを含む。
【００５０】
図６〜８に示されているように、第１のラグ２２２ａおよび第２のラグ２２２ｂは、それぞれ概して矩形の断面形状を有し、第１のラグ２２２ａは、第２のラグ２２２ｂよりサイズが大きい。他の実施形態では、第１のラグ２２２ａおよび第２のラグ２２２ｂは、限定することなしに、丸形、楕円形、多角形、不規則のものなどを含めて、任意の他の形状および／または断面形状を有することができる。
【００５１】
対応するスロットは、動力工具１０のバッテリチャンバ５６の側部に沿って軸方向に延びる。これらのスロットの一方は、第１のラグ２２２ａを受け取るようにサイズ決めされ、かつ形作られ、他方のスロットは、第２のラグ２２２ｂを受け取るようにサイズ決めされ、かつ形作られ、それによって、バッテリ２００を動力工具１０内に単一の所望の向きでだけ（すなわち、バッテリ２００のバッテリ端子２０２ａ、２０２ｂが、動力工具１０の対応する端子と位置合わせされ、それらに電気的に接続された状態で）確実に挿入することができるようにする。
【００５２】
いくつかのそのような実施形態では、スロットは、動力工具１０のバッテリチャンバ５６の内壁に沿って軸方向に延び、バッテリチャンバ５６の内壁の少なくとも一部分の周りで、円周方向に延びる下端を含む。これらの実施形態では、スロットは、実質的にＬ字形である。このようにして、バッテリ２００が動力工具１０のバッテリチャンバ５６内に軸方向に挿入された後で、バッテリ２００は、バッテリ軸２０１の周りで、またハウジング１２に対して旋回され、バッテリ２００を動力工具１０にロックして接続するように、ラグ２２２ａ、２２２ｂとそれぞれのＬ字形受取りスロット内でロックして係合することができる。他の実施形態（図示せず）では、ロック用構成２２０は、単一のラグと、単一の受取りスロットとを含むことができる。
【００５３】
図６〜９Ｄに示されているように、バッテリ２００はまた、キャップ２０６と反対側のバッテリ２００の前部上に位置する、軸方向に延びる突起２２４を含むことができる。突起２２４は、バッテリ２００をハンドグリップ１６に対して回転したとき、操作者に触覚および／または可聴フィードバックを提供するように、バッテリチャンバ５６内の相補的な部分と係合可能とすることができる。他の実施形態では、バッテリ２００は、単一の突起２２４または３つ以上の突起２２４を有することができ、これらを、バッテリチャンバ５６と係合するように、バッテリケーシング２０４上の様々な位置に配置することができる。他の実施形態では、突起２２４は、バッテリ２００をバッテリ充電器４００に対して回転したとき、操作者に触覚および／または可聴フィードバックを提供するように、バッテリ充電器４００内の相補的な部分と係合可能とすることができる。
【００５４】
図１１Ａ〜２０に示されているように、バッテリ２００は、１つまたは複数のバッテリ２００を充電するように動作可能であるバッテリ充電器４００内で係合可能である。いくつかの実施形態では、電源（たとえば、陸上電力網）からのＡＣ電流を、充電回路４０１を介して、充電器４００上で支持されたバッテリ２００に供給することができる。いくつかの実施形態では、充電回路４０１は、ＡＣ電力をＤＣ電力に変換することができる。他の実施形態では、バッテリ充電器４００は、補給バッテリ（ｓｕｐｐｌｅｍｅｎｔａｒｙ  ｂａｔｔｅｒｉｅｓ）や様々なＡＣおよびＤＣ電源を含む非従来型電源から、バッテリ２００に電力を送ることができる。いくつかのそのような実施形態では、充電回路４０１は、ＡＣ／ＤＣ変換構成要素を含むことができ、また、あるいは別法として、電流および／または電圧制限機能、信号調整（ｓｉｇｎａｌ  ｃｏｎｄｉｔｉｏｎｉｎｇ）などを提供することができる。
【００５５】
充電回路４０１は、２００３年１１月２０日に出願された米国特許出願第１０／７１９，６８０号明細書、２００５年５月２４日に出願された米国特許出願第１１／１３９，０２０号明細書、２００５年１１月２日に出願された米国特許出願第１１／２６６，００７号明細書に示され述べられている充電回路と同様の構成要素を含み、同様の充電アルゴリズムを実施することができ、各明細書の内容全体は、参照により本明細書に組み込まれる。
【００５６】
図１１Ａ〜２０の例示されている実施形態では、充電器４００は、上部部分４０２ａおよび下部部分４０２ｂを有する充電器ケーシングまたは本体４０２を含む。図１１Ａ〜２０に示されているように、ケーシング４０２は、バッテリチャンバ４０３を画定することができ、バッテリ２００を受け取るための開口４０４を含むことができる。例示されている実施形態では、開口４０４は、概して充電器４００の前部４０６に向かって位置する。充電器４００の後部部分４０８は、コードまたはプラグを受け取るための電気入力レセプタクル４１０を備える。
【００５７】
図１１Ａおよび図１１Ｂに最もよく示されているように、第１の受取りスロット４１８ａおよび第２の受取りスロット４１８ｂは、充電器ケーシング４０２を介して、開口４０４の両側上で延び、バッテリ２００の一部分と係合し、バッテリ２００を充電器４００内で保持し、また充電器４００に対してバッテリ２００を配向するようにサイズ決めされる。いくつかの実施形態では、受取りスロット４１８ａ、４１８ｂは、サイズ、形状、および、動力工具１０のバッテリチャンバ５６内の受取りスロットに対する相対的な向きが同様である。
【００５８】
いくつかの実施形態では、受取りスロット４１８ａ、４１８ｂは、異なるようにサイズ決めすることができ、その結果、バッテリ２００は、必要とされる向きで（すなわち、バッテリ端子２０２ａ、２０２ｂがバッテリ充電器４００のそれぞれの端子４２０ａ、４２０ｂと係合する状態で）、バッテリチャンバ４０３内に挿入することができるにすぎない。
【００５９】
図１１Ａ〜２０の例示されている実施形態では、受取りスロット４１８ａ、４１８ｂは、概してＬ字形である。このようにして、バッテリ２００が開口４０４を介して軸方向に、かつ、バッテリチャンバ４０３内に挿入された後に、バッテリ２００が開口４０４から軸方向に移動可能であるロック解除位置から、ラグ２２２ａ、２２２ｂと受取りスロット４１８ａ、４１８ｂの間の係合によりバッテリ２００がバッテリチャンバ４０３から軸方向に移動するのが防止されるロック位置に向かって、バッテリ２００を、バッテリ軸２０１の周りでケーシング４０２に対して旋回させることができる。
【００６０】
図１２、図１３、および図１５Ａ〜１６に示されているように、充電器４００は、ケーシング４０２の外部表面上に位置するインジケータ４１９を含むことができ、バッテリ２００は、同様のインジケータ２２３を含むことができる。このようにして、充電器４００のインジケータ４１９とバッテリ２００のインジケータ２２３の位置がずれたとき、操作者は、バッテリ２００がロック解除位置にあることを確認できることになる。同様に、充電器４００のインジケータ４１９とバッテリ２００のインジケータ２２３が位置合わせされたとき、操作者は、バッテリ２００がロック位置にあることを確認できることになる。
【００６１】
Ｌ字形受取りスロット４１８ａ、４１８ｂを有する、図１１Ａ〜２０の例示されている実施形態などの充電器４００の諸実施形態では、バッテリ充電器４００の端子４２０ａ、４２０ｂは、バッテリチャンバ４０３の少なくとも一部分の周りで、円周方向に延びることができ、その結果、バッテリ端子２０２ａ、２０２ｂは、バッテリ２００がロック位置およびロック解除位置にあるとき、バッテリ充電器４００のそれぞれの端子４２０ａ、４２０ｂに電気的に接続することができる。
【００６２】
いくつかのそのような実施形態では、充電器４００は、バッテリ２００がロック位置またはロック解除位置にある間、バッテリ２００を充電するように動作可能である。これは操作者にとっての便宜上の点とすることができ、操作者の何人かは、バッテリ２００をロック位置に向かって旋回することなく、充電するためにバッテリ２００を迅速に挿入したいと望む可能性がある。別法として、充電器４００が壁または別の垂直表面に（すなわち、バッテリチャンバ４０３が地面に対して実質的に平行な方向に開くように）装着される応用例では、操作者は、バッテリ２００を充電することができるように、また、充電中にバッテリ２００が充電器４００から落下しないように、バッテリ２００をバッテリチャンバ４０３内に挿入し、バッテリ２００をロック位置に向かって旋回することができる。
【００６３】
図１４に示されているように、充電器４００は、充電器４００を壁または他の傾斜表面に装着するための、あるいは、充電器４００を作業カート、水平表面、作業テーブルまたはベンチなどに固定するための、装着用レセプタクル４２８を含むことができる。図１４の例示されている実施形態などのいくつかの実施形態では、充電器４００はまた、充電器４００を支持するための脚部４３０を含むことができる。
【００６４】
図１３に示されているように、充電器４００はまた、操作者に触覚および／または可聴フィードバックを提供し、操作者がバッテリ２００をロック位置に、あるいはロック解除位置に移動したことを操作者に示すために、バッテリ２００上の突起２２４と係合する戻り止め４２２を含むことができる。図１１Ａ〜２０の例示されている実施形態では、戻り止め４２２は、弾性的に変形可能であり、バッテリチャンバ４０３の下端を横切って水平に延びる。他の実施形態では、戻り止め４２２は、他の相対的な向きおよび位置を有することができる。たとえば、いくつかの実施形態では、戻り止め４２２は、バッテリ２００の側部上に位置する、対応するバッテリ突起２２４と係合するように、バッテリチャンバ４０３の側壁の周りで、円周方向に延びることができる。
【００６５】
上部充電器ケーシング４０２ａ上で、充電データ（たとえば、充電時間の残り、充電進行中、充電完了など）を操作者に表示するための充電インジケータ４１２（たとえば、発光ダイオード（ＬＥＤ）または別のライト）を支持することができる。他の実施形態では、充電器４００はまた、あるいは別法として、他のインジケータまたはディスプレイを含むことができる。
【００６６】
動力工具の動作について図１、図２、図２１を参照して述べる。
【００６７】
動作させるためには、操作者は、第１の手でハンドグリップ１６を把持し、第２の手で本体１４を把持し、ハンドグリップ１６を（図１に示されている）第１の位置から（図２に示されている）第２の位置に向かって、旋回軸３４の周りで旋回する。
【００６８】
ロック用組立体１１０がロック位置にある場合、操作者は、本体１４およびハンドグリップ１６の旋回前および／または旋回中に、アクチュエータ１１４をハウジング１２に対して移動し、ロック用部材１１２をロック位置からロック解除位置に向かって移動することができる。本体１４とハンドグリップ１６の間で所望の向きが達成されたとき、操作者は、工具をスピンドル３０内に挿入することができる。
【００６９】
また、操作者は、電力を動力工具１０に供給するために、バッテリ２００をバッテリチャンバ５６内に挿入することができる。次いで、操作者は、トリガ７７を動作位置に向かって移動し、方向スイッチ７６を係合することができる。トリガ７７が活動化されると、バッテリ２００から電気回路３１０に電力が供給され、コントローラ３２０が低電力状態からウェークアップする。コントローラ３２０は、バッテリ２００から充電状態読取り値を取り、その読取り値をコントローラの内部メモリ（図示せず）内に格納し、燃料計１１８を活動化してバッテリ２００の現在の静止充電状態を表示する。
【００７０】
静止バッテリ充電状態が測定された後で、コントローラ３２０は、通常非導通のオン／オフスイッチ３３０を導通状態に切り替え、その結果、方向スイッチ７６によって決定されたかのように電流がバッテリセル２０８からモータ２８に供給され、モータ２８にスピンドル３０および工具要素を回転させる。コントローラ３２０は、予め定められた時間が満了するまで、燃料計１１８を介して充電状態読取り値を引き続き表示する。
【００７１】
次いで、操作者は、ハンドグリップ１６を第２の位置から第１の位置に戻し、あるいは、動力工具１０を配向するための中間位置（図示せず）に移動し、狭い（ｃｏｎｆｉｎｅｄ）作業空間内で操作し、かつ／または、異なる作業を実行することができる。別法として、またはそれに加えて、操作者は、手首の素早い動きで、かつ／または、ハンドグリップ１６および本体１４のうち一方を片手で把持し、ハンドグリップ１６および本体１４のうち他方を身体に押し付けることによって、ハンドグリップ１６を旋回軸３４の周りで、本体１４に対して旋回することができる。
【００７２】
一実施形態では、トリガ７７が解放された後で、オン／オフスイッチ３３０は、非導通状態で位置決めされ、コントローラ３２０は、待ち時間のカウントダウンを始める。この実施形態では、ユーザが待ち時間の満了前にトリガ７７を活動化した場合、コントローラ３２０は、先の充電状態読取り値と、モータ２８が動作していた持続時間とに基づいて、バッテリの現在の充電状態を近似し、その近似値を表示する。いくつかの構成では、モータ２８が動作していた持続時間が予め定められた時間より長い場合、コントローラ３２０は、バッテリの現在の充電状態読取り値を計算または近似せず、バッテリ充電状態読取り値を燃料計１１８上で表示しない。
【００７３】
ユーザが待ち時間の満了後にトリガを活動化した場合、コントローラ３２０は、上記で述べたように、オン／オフスイッチ３３０の活動化と電力のモータ２８への供給の前に、別の静止バッテリ充電状態読取り値を取る。
【００７４】
動力工具１０およびバッテリ２００を動作させた後に、操作者は、バッテリ２００を動力工具１０から除去し、バッテリ２００を充電器４００内に挿入してバッテリ２００を再充電することができる。いくつかの実施形態では、操作者は、バッテリ２００を、バッテリ充電器４００のバッテリチャンバ４０３内に軸方向に挿入し、バッテリ充電を開始することができる。別法として、またはそれに加えて、操作者は、バッテリ２００が充電中にバッテリ充電器４００にロックして固定されるように、バッテリ２００をロック位置に向かって旋回することができる。
【００７５】
充電が完了した後で（たとえば、予め定められた充電時間後、または充電完了データが充電器４００のインジケータ４１２上で表示されたとき）、操作者は、バッテリ２００を充電器４００から除去し、新たに充電されたバッテリ２００を動力工具１０のバッテリチャンバ５６内に挿入することができる。バッテリ２００が完全に充電されていることを確認するために、操作者は、トリガ７７を押し、充電状態データをディスプレイ１２０上で表示させることができる。
【００７６】
１つまたは複数の上記で識別された、および他の独立した特徴および独立した利点が、特許請求の範囲に述べられている。
【図面の簡単な説明】
【００７７】
【図１】本発明の一実施形態による動力工具の正面斜視図である。
【図２】図１に示されている動力工具の左側面図である。
【図３】図１に示されている動力工具の上面図である。
【図４】図１に示されている動力工具の右側面図である。
【図５】図３の５−５線に沿ってとられた動力工具の断面図である。
【図６】本発明の一実施形態によるバッテリの斜視図である。
【図７】図６に示されているバッテリの分解図である。
【図８】図６に示されているバッテリの正面図である。
【図９Ａ】図８のＡ−Ａ線に沿ってとられたバッテリの断面図である。
【図９Ｂ】図８のＢ−Ｂ線に沿ってとられたバッテリの断面図である。
【図９Ｃ】図８のＣ−Ｃ線に沿ってとられたバッテリの断面図である。
【図９Ｄ】図９Ｃに示されているバッテリと充電器の間の電気的接続の詳細図である。
【図１０】リテーナクリップの斜視図である。
【図１１Ａ】本発明の一実施形態による充電器の第１の斜視図である。
【図１１Ｂ】図１１Ａに示されている充電器の第２の斜視図である。
【図１２】図１１Ａに示されているバッテリおよび充電器の分解図である。
【図１３】図１１Ａに示されている充電器の上面図である。
【図１４】図１１Ａに示されている充電器の底面図である。
【図１５Ａ】充電のためにバッテリを支持する、図１１Ａに示されている充電器の第１の斜視図である。
【図１５Ｂ】充電のためにバッテリを支持する、図１１Ａに示されている充電器の第２の斜視図である。
【図１６】図１５Ａに示されている充電器および挿入されているバッテリの上面図である。
【図１７】図１５Ａ〜１６に示されている充電器およびバッテリ組立体の第１の横断面図である。
【図１８】図１５Ａ〜１６に示されている充電器およびバッテリ組立体の第２の横断面図である。
【図１９】図１５Ａ〜１６に示されている充電器およびバッテリ組立体の第３の横断面図である。
【図２０】図１５Ａ〜１６に示されている充電器およびバッテリ組立体の第４の横断面図である。
【図２１】図１に示されている動力工具の概略図である。
【符号の説明】
【００７８】
１０    動力工具
１２    ハウジング組立体
１４    本体
１６    ハンドグリップ
２２    長手方向本体軸
３１    前端
３２    グリップ軸
４４    後端
７４    オン／オフスイッチ組立体
７７    トリガ
７８    側部表面
８２    スピード制御機構
８４    上部表面
１１０  ロック用組立体
１１４  アクチュエータ
１２０  ディスプレイ
１２２  インジケータライト
２００  バッテリ
【図１】
2006325395.tif 000003
【図２】
2006325395.tif 000004
【図３】
2006325395.tif 000005
【図４】
2006325395.tif 000006
【図５】
2006325395.tif 000007
【図６】
2006325395.tif 000008
【図７】
2006325395.tif 000009
【図８】
2006325395.tif 000010
【図９Ａ】
2006325395.tif 000011
【図９Ｂ】
2006325395.tif 000012
【図９Ｃ】
2006325395.tif 000013
【図９Ｄ】
2006325395.tif 000014
【図１０】
2006325395.tif 000015
【図１１Ａ】
2006325395.tif 000016
【図１１Ｂ】
2006325395.tif 000017
【図１２】
2006325395.tif 000018
【図１３】
2006325395.tif 000019
【図１４】
2006325395.tif 000020
【図１５Ａ】
2006325395.tif 000021
【図１５Ｂ】
2006325395.tif 000022
【図１６】
2006325395.tif 000023
【図１７】
2006325395.tif 000024
【図１８】
2006325395.tif 000025
【図１９】
2006325395.tif 000026
【図２０】
2006325395.tif 000027
【図２１】
2006325395.tif 000028
【外国語明細書】
2006325395000001.pdf